(57)【要約】【課題】  移動した経路と当該経路中の生体情報を、表示された地図上の経路を指定することにより容易に確認できること。【解決手段】ユーザに装着されたヘッドホン型装置１において、ＣＰＵは、計測時間間隔おきに現在時刻を取得して、当該現在時刻に脈拍計測部において計測された脈拍数を対応付けて移動履歴データに記憶させる。ＣＰＵは、移動履歴データをパソコン３に転送する。パソコン３においては、移動履歴データを受信し、地図画像データを読み出して地図画像を表示部に表示させる。そして、移動履歴データの通過位置を基に、地図画像上に移動経路を表示させ、画面指定操作を検知したならば、指定された地点の位置情報に最も近い通過位置のレコードを移動履歴データから読み出して、当該レコードの内容を表示させる。【選択図】図１
2005195425.tif 000002
【特許請求の範囲】
【請求項１】
所定時間おきに現在位置を測位する測位手段と、
血流に関する生体情報を前記所定時間おきに検出する生体情報検出手段と、
前記測位手段により測位された現在位置を通過位置とし、前記生体情報検出手段により検出された生体情報と対応付けた移動履歴を蓄積的に記録する記録手段と、
この記録手段により記録された移動履歴を外部装置に送信する送信手段と、
を備えることを特徴とした耳装着型電子機器。
【請求項２】
歩行又は走行のピッチを検出するピッチ検出手段を更に備え、
前記記録手段は、前記ピッチ検出手段により検出されたピッチの前記所定時間おきの値を前記移動履歴に含めて記録するピッチ記録手段を有する、
ことを特徴とする請求項１に記載の耳装着型電子機器。
【請求項３】
所定時間おきに現在位置の測位と血流に関する生体情報の検出とを行い、測位した現在位置と検出した生体情報と対応付けた移動履歴を蓄積的に記録する耳装着型電子機器と通信可能に構成される移動履歴表示装置であって、
前記耳装着型電子機器から移動履歴を受信する受信手段と、
地図画像を表示制御する地図表示制御手段と、
前記受信手段により受信された移動履歴に基づいて、通過位置の軌跡を移動経路として前記地図表示制御手段により表示制御された地図画像上に表示制御する経路表示制御手段と、
この経路表示制御手段により表示制御された移動経路上の地点を指定する指定手段と、
この指定手段により指定された地点に最近接する通過位置に対応付けられた生体情報を読み出して表示制御する生体情報表示制御手段と、
を備えることを特徴とする移動履歴表示装置。
【請求項４】
音声を再生して出力する音声再生出力手段と、
出発地点から到達地点までの経路上の経由地点と、当該経由地点を通過する予定時間とを対応づけて記憶する経路情報記憶手段と、
所定時間おきに現在位置を測位する測位手段と、
経過時間を計時する計時手段と、
この計時手段により計時された経過時間を予定時間とする経由地点を前記経路情報記憶手段から読み出す読出手段と、
この読出手段により読み出された経由地点と前記測位手段により測位された現在位置との位置関係を求める位置関係算出手段と、
この位置関係算出手段により求められた位置関係に基づいて、前記音声再生出力手段の音声再生速度を可変させる制御を行う制御手段と、
を備えることを特徴とする耳装着型電子機器。
【請求項５】
前記位置関係算出手段により算出された位置関係が、所定の位置関係許容条件を満たさない場合に、前記測位手段により測位された現在位置を基準として、前記読出手段により読み出された経由地点までの距離及び方位を算出する経由目標算出手段と、
この経由目標算出手段により算出された距離及び方位を、前記音声再生出力手段から音声出力させる制御を行う音声報知制御手段と、
を更に備えることを特徴とする請求項４に記載の耳装着型電子機器。
【請求項６】
前記制御手段は、前記測位手段により測位された現在位置が、前記読出手段により読み出された経由地点よりも出発地点寄りであった場合、前記音声再生出力手段の音声再生速度を早める制御を行う再生速度高速化制御手段を有することを特徴とする請求項４又は５に記載の耳装着型電子機器。
【請求項７】
前記制御手段は、前記測位手段により測位された現在位置が、前記読出手段により読み出された経由地点よりも到達地点寄りであった場合、前記音声再生出力手段の音声再生速度を遅める制御を行う再生速度低速化制御手段を有することを特徴とする請求項４〜６の何れか一項に記載の耳装着型電子機器。
【請求項８】
測位手段と、血流に関する生体情報を検出する生体情報検出手段とを備えたコンピュータに、
所定時間おきに前記測位手段に現在位置を測位させる測位制御機能と、
前記生体情報検出手段に前記所定時間おきに前記検出を行わせる検出制御機能と、
前記測位制御機能により測位された現在位置を通過位置とし、前記検出制御機能による制御により検出された生体情報と対応付けた移動履歴を蓄積的に記録する記録機能と、
この記録機能により記録された移動履歴を外部装置に送信する送信機能と、
を実現させるためのプログラム。
【請求項９】
所定時間おきに現在位置の測位と血流に関する生体情報の検出とを行い、測位した現在位置と検出した生体情報と対応付けた移動履歴を蓄積的に記録する耳装着型電子機器と通信可能に構成されたコンピュータに、
前記耳装着型電子機器から移動履歴を受信する受信機能と、
地図画像を表示制御する地図表示制御機能と、
前記受信機能により受信された移動履歴に基づいて、通過位置の軌跡を移動経路として前記地図表示制御機能により表示制御された地図画像上に表示制御する経路表示制御機能と、
この経路表示制御機能により表示制御された移動経路上の地点を指定する指定機能と、
この指定機能により指定された地点に最近接する通過位置に対応付けられた生体情報を読み出して表示制御する生体情報表示制御機能と、
を実現させるためのプログラム。
【請求項１０】
音声を再生して出力する音声再生出力手段と、測位手段とを備えたコンピュータに、
出発地点から到達地点までの経路上の経由地点と、当該経由地点を通過する予定時間とを対応づけて記憶する経路情報記憶機能と、
所定時間おきに前記測位手段に現在位置を測位させる測位制御機能と、
経過時間を計時する計時機能と、
この計時機能により計時された経過時間を予定時間とする経由地点を前記経路情報記憶機能から読み出す読出機能と、
この読出機能により読み出された経由地点と前記測位制御機能による制御により測位された現在位置との位置関係を求める位置関係算出機能と、
この位置関係算出機能により求められた位置関係に基づいて、前記音声再生出力手段の音声再生速度を可変させる制御を行う制御機能と、
を実現させるためのプログラム。
【発明の詳細な説明】
【技術分野】
【０００１】
本発明は、耳装着型電子機器、移動履歴表示装置及びプログラムに関する。
【背景技術】
【０００２】
従来から、脈拍や心拍数等といった人体の血流に関する生体情報を測定する電子機器がある。このような電子機器の製品には形状・大きさが様々なものがあり、携帯可能な大きさに小型化されたり、他の製品に一体的に組み込まれているものがある。
【０００３】
一例として腕時計に脈拍センサを内蔵した電子機器がある。ユーザは、腕時計に組み込まれた脈拍センサに指端の腹面を当接することで、脈拍センサにより光学的に脈拍が検出され、腕時計本体の表示部に脈拍数が表示される。
【０００４】
このような小型化された電子機器は、例えば、ジョギングやウォーキング等の走行又は歩行運動（以下、説明の簡単化のために走行運動にのみついて説明する。）中に使用されることが多い。ところが、腕時計型の電子機器では、腕時計の表示部に測定結果が表示されるため、測定結果の確認のためには、手首に装着されている腕時計を目線の高さまで持ち上げなければならず、走行又は歩行運動の妨げとなってしまっていた。
【０００５】
そこで、測定結果を音声によって知らせる耳装着型の電子機器として次の技術が考案された。すなわち、ＥＣＧ（electrocardiogram）測定電極を配置したベルトとヘッドホンとにより構成され、当該ベルトを胸部や腹部といった胴体に巻き付け、ＥＣＧ測定電極を介して測定された心拍数をヘッドホンから音声出力するヘッドホン型の電子機器である（特許文献１参照）。
【０００６】
また、道順を案内するための情報を表示する携帯可能な電子機器がある。このような電子機器の代表的なものの一例として、ＧＰＳ衛星から送信されるＧＰＳ信号を受信するＧＰＳ受信装置を内蔵し、受信したＧＰＳ信号を基に現在位置を測位し、測位した現在位置を地図画像上に表示するＧＰＳ携帯と呼ばれる携帯電話機がある。ユーザは、このような電子機器を持ち運ぶことで、走行中に自分の現在位置がどこであるかを知ることができる。
【０００７】
また、往路の走行時に、出発地点からの距離と方位とを順次記憶しておき、復路の走行時に、記憶した方位を逆方向に読み出して、当該移動方位を逆表示するとともに、記憶した距離を読み出して、当該距離から走行した距離を減算して表示するナビゲーション装置が知られている（特許文献２参照）。
【特許文献１】米国特許第５３１４３８９号明細書
【特許文献２】特開平７−１９８８１号公報
【発明の開示】
【発明が解決しようとする課題】
【０００８】
しかし、特許文献１の電子機器では、計測された時点の生体情報（心拍数）が音声出力されていくだけであるため、走行中の生体情報の経過を知ることが出来なく、走行時の生体情報の履歴を知るためには、音声出力される生体情報を逐一、記憶又は記録していく他なかった。
【０００９】
また、ヘッドホンから走行運動に連動した音声が出力されれば、当該音声を走行運動に有効に利用することができるが、実際に出力されるラジオ放送は走行運動となんら関係のない音声である。
【００１０】
また、上述した携帯電話機や特許文献２の電子機器において、走行運動中に予定の走行経路を走行しているか否かを確認するためには、所定の操作で地図を表示させ、表示部を視認する必要があるため煩わしかった。
【００１１】
また、ユーザは、予定したコースを走行する場合は、予定の経路を時間通りに走行しているか否かを知ることで、好適なペースで走行することができるが、特許文献２の電子機器においては、現在位置や復路の方位及び残りの距離が表示されるだけで、予定のコースを時間通りに走行しているか否かは分からなかった。
すなわち、本発明は、上述した課題を解決することを目的とする。
【課題を解決するための手段】
【００１２】
以上の課題を解決するために、請求項１に記載の耳装着型電子機器は、
所定時間おきに現在位置を測位する測位手段（例えば、図３のＣＰＵ１０、位置検出部１１０）と、
血流に関する生体情報（例えば、脈拍数）を前記所定時間おきに検出する生体情報検出手段（例えば、図３のＣＰＵ１０、脈拍計測部４０、脈拍センサ９０６）と、
前記測位手段により測位された現在位置を通過位置とし、前記生体情報検出手段により検出された生体情報と対応付けた移動履歴（例えば、図５の移動履歴データ２０２）を蓄積的に記録する記録手段（例えば、図３のＣＰＵ１０、フラッシュＲＯＭ２０；図７のステップＡ１５）と、
この記録手段により記録された移動履歴を外部装置（例えば、図３のパソコン３）に送信する送信手段（例えば、図３のＣＰＵ１０、通信装置６０；図７のステップＡ２３）と、
を備えることを特徴としている。
【００１３】
請求項８に記載のプログラムは、
測位手段（例えば、図３の位置検出部１１０）と、血流に関する生体情報（例えば、脈拍数）を検出する生体情報検出手段（例えば、図３の脈拍計測部４０）とを備えたコンピュータに、
所定時間おきに前記測位手段に現在位置を測位させる測位機能（例えば、図３のＣＰＵ１０）と、
前記生体情報検出手段に前記所定時間おきに前記検出を行わせる検出制御機能（例えば、図３のＣＰＵ１０）と、
前記測位制御機能による制御により測位された現在位置を通過位置とし、前記検出制御機能による制御により検出された生体情報と対応付けた移動履歴（例えば、図５の移動履歴データ２０２）を蓄積的に記録する記録機能（例えば、図３のＣＰＵ１０、フラッシュＲＯＭ２０；図７のステップＡ１５）と、
この記録機能により記録された移動履歴を外部装置（例えば、図３のパソコン３）に送信する送信機能（例えば、図３のＣＰＵ１０；図７のステップＡ２３）と、
を実現させることを特徴としている。
【００１４】
請求項１又は８に記載の発明によれば、所定時間おきに現在位置の測位と生体情報の検出とを行い、測位した現在位置を通過位置とし、検出した生体情報と対応付けた移動履歴を蓄積的に記憶した後、当該移動履歴を外部装置に送信する耳装着型電子機器が実現される。これにより、ユーザ（装着者）は、耳装着型電子機器を装着し、例えば、走行移動等を行った後に、当該電子機器を外部装置に接続することにより、自分の通過位置と生体情報との履歴を容易に確認することができる。
【００１５】
請求項２に記載の発明は、請求項１に記載の耳装着型電子機器であって、
歩行又は走行のピッチを検出するピッチ検出手段（例えば、図３のＣＰＵ１０、振動計測部１００；図７のステップＡ１９）を更に備え、
前記記録手段は、前記ピッチ検出手段により検出されたピッチの前記所定時間おきの値を前記移動履歴に含めて記録するピッチ記録手段（例えば、図３のＣＰＵ１０、フラッシュＲＯＭ２０；図７のステップＡ１９）を有する、
ことを特徴としている。
【００１６】
請求項２に記載の発明によれば、請求項１に記載の発明と同様の効果が得られるのは無論のこと、歩行又は走行のピッチを検出し、検出したピッチを所定時間おきに移動履歴に含めて記録する耳装着型電子機器が実現される。これにより、ユーザは、外部装置において自分の通過位置と生体情報との他に、ピッチの履歴も確認することができる。
【００１７】
請求項３に記載の発明は、
所定時間おきに現在位置の測位と血流に関する生体情報の検出とを行い、測位した現在位置と検出した生体情報と対応付けた移動履歴を蓄積的に記録する耳装着型電子機器と通信可能に構成される移動履歴表示装置であって、
前記耳装着型電子機器から移動履歴を受信する受信手段（例えば、図６の通信装置３３０）と、
地図画像を表示制御する地図表示制御手段（例えば、図６のＣＰＵ３００、表示部３５０；図８のステップＢ３）と、
前記受信手段により受信された移動履歴に基づいて、通過位置の軌跡を移動経路（例えば、図９（ａ）の移動経路ＣＳ）として前記地図表示制御手段により表示制御された地図画像上に表示制御する経路表示制御手段（例えば、図６のＣＰＵ３００、表示部３５０；図８のステップＢ５）と、
この経路表示制御手段により表示制御された移動経路上の地点を指定する指定手段（例えば、図６のＣＰＵ１０、入力部３４０、マウス３４２；図８のステップＢ７）と、
この指定手段により指定された地点に最近接する通過位置に対応付けられた生体情報を読み出して表示制御する生体情報表示制御手段（例えば、図６のＣＰＵ１０、表示部３５０；図８のステップＢ１１〜Ｂ１３）
を備えることを特徴としている。
【００１８】
請求項９に記載のプログラムは、
所定時間おきに現在位置の測位と血流に関する生体情報の検出とを行い、測位した現在位置と検出した生体情報と対応付けた移動履歴を蓄積的に記録する耳装着型電子機器と通信可能に構成されたコンピュータに、
前記耳装着型電子機器から移動履歴を受信する受信機能（例えば、図６のＣＰＵ３００、通信装置３３０；図８のステップＢ１）、
地図画像を表示制御する地図表示制御機能（例えば、図６のＣＰＵ３００、表示部３５０；図８のステップＢ３）と、
前記受信機能により受信された移動履歴に基づいて、通過位置の軌跡を移動経路（例えば、図９（ａ）の移動経路ＣＳ）として前記地図表示制御機能により表示制御された地図画像上に表示制御する経路表示制御機能（例えば、図６のＣＰＵ３００、表示部３５０；図８のステップＢ５）と、
この経路表示制御機能により表示制御された移動経路上の地点を指定する指定機能（例えば、図６のＣＰＵ１０；図８のステップＢ７）と、
この指定機能により指定された地点に最近接する通過位置に対応付けられた生体情報を読み出して表示制御する生体情報表示制御機能（例えば、図６のＣＰＵ１０、表示部３５０；図８のステップＢ１１〜Ｂ１３）と、
を実現させることを特徴としている。
【００１９】
請求項３又は９に記載の発明によれば、地図画像を表示し、耳装着型電子機器から受信した移動履歴に基づいて移動経路を当該地図画像上に表示する。これにより、ユーザは、耳装着型電子機器を装着して歩行又は走行した経路を容易に地図画面上で確認することができる。
【００２０】
また、表示させた移動経路上の地点が指定されると、指定された地点に最近接する通過位置に対応付けられた生体情報を読み出して表示する。これにより、ユーザは、移動経路上を指定するといった簡単な操作で、指定した地点における生体情報を容易に知ることができる。
【００２１】
請求項４に記載の耳装着型電子機器は、
音声を再生して出力する音声再生出力手段（例えば、図３のＣＰＵ１０、音声出力部５０、スピーカ５２）と、
出発地点から到達地点までの経路上の経由地点と、当該経由地点を通過する予定時間とを対応づけて記憶する経路情報記憶手段（例えば、図３のＣＰＵ１０；図１０のフラッシュＲＯＭ１０；図１１（ｂ）のコースデータ２２６）と、
所定時間おきに現在位置を測位する測位手段（例えば、図３のＣＰＵ１０、位置検出部１１０）と、
経過時間を計時する計時手段（例えば、図３のＣＰＵ１０；図１２のステップＣ９）と、
この計時手段により計時された経過時間を予定時間とする経由地点を前記経路情報記憶手段から読み出す読出手段（例えば、図３のＣＰＵ１０；図１２のステップＣ１９）と、
この読出手段により読み出された経由地点と前記測位手段により測位された現在位置との位置関係（例えば、図１０（ｂ）の距離差分３２８）を求める位置関係算出手段（例えば、図３のＣＰＵ１０；図１２のステップＣ１９〜Ｃ２３）と、
この位置関係算出手段により求められた位置関係に基づいて、前記音声再生出力手段の音声再生速度を可変させる制御を行う制御手段（例えば、図３のＣＰＵ１０；図１２のステップＣ２９、Ｃ３３）と、
を備えることを特徴としている。
【００２２】
請求項１０に記載のプログラムは、
音声を再生して出力する音声再生出力手段（例えば、図３の音声出力部５０、スピーカ５２）と、測位手段（例えば、図３の位置検出部１１０）とを備えたコンピュータに、
出発地点から到達地点までの経路上の経由地点と、当該経由地点を通過する予定時間とを対応づけて記憶する経路情報記憶機能（例えば、図３のＣＰＵ１０、図１０のフラッシュＲＯＭ１０；図１１（ｂ）のコースデータ２２６）と、
所定時間おきに前記測位手段に現在位置を測位させる測位制御機能（例えば、図３のＣＰＵ１０）と、
経過時間を計時する計時機能（例えば、図３のＣＰＵ１０；図１２のステップＣ９）と、
この計時機能により計時された経過時間を予定時間とする経由地点を前記経路情報記憶機能から読み出す読出機能（例えば、図３のＣＰＵ１０；図１２のステップＣ１９）と、
この読出機能により読み出された経由地点と前記測位制御機能による制御により測位された現在位置との位置関係（例えば、図１０（ｂ）の距離差分３２８）を求める位置関係算出機能（例えば、図３のＣＰＵ１０；図１２のステップＣ１９〜Ｃ２３）と、
この位置関係算出機能により求められた位置関係に基づいて、前記音声再生出力手段の音声再生速度を可変させる制御を行う制御機能（例えば、図３のＣＰＵ１０；図１２のステップＣ２９、Ｃ３３）と、
を実現させることを特徴としている。
【００２３】
請求項４又は１０に記載の発明によれば、音声の再生出力と経過時間の計時とを行い、経過時間を予定時間とする経由地点を読み出す。そして、読み出した経由地点と所定時間おきに測位した現在位置との位置関係を求め、当該位置関係に基づいて音声再生速度を可変させる。従って、ユーザは、音声の再生速度の変化によって、経路上の予定位置と現在位置との位置関係を容易に知ることができる。
【００２４】
請求項５に記載の発明は、請求項４に記載の耳装着型電子機器であって、
前記位置関係算出手段により算出された位置関係が、所定の位置関係許容条件を満たさない場合に、前記測位手段により測位された現在位置を基準として、前記読出手段により読み出された経由地点までの距離及び方位を算出する経由目標算出手段（例えば、図３のＣＰＵ１０；図１２のステップＣ２３、Ｃ３１、Ｃ３５）と、
この経由目標算出手段により算出された距離及び方位を、前記音声再生出力手段から音声出力させる制御を行う音声報知制御手段（例えば、図３のＣＰＵ１０、音声出力部５０、スピーカ５２；図１２のステップＣ３７）と、
を更に備えることを特徴としている。
【００２５】
請求項５に記載の発明によれば、請求項４に記載の発明と同様の効果が得られるのは無論のこと、現在位置と経由地点との位置関係が位置関係許容条件を満たさない場合、現在位置を基準とした経由地点までの距離及び方位を算出して音声出力させる。これにより、ユーザは、音声出力された距離及び方位によって、自分の進むべき経由地点の方向及び距離を容易に知ることができる。
【００２６】
請求項６に記載の発明は、請求項４又は５に記載の耳装着型電子機器であって、
前記制御手段は、前記測位手段により測位された現在位置が、前記読出手段により読み出された経由地点よりも出発地点寄りであった場合、前記音声再生出力手段の音声再生速度を早める制御を行う再生速度高速化制御手段（例えば、図３のＣＰＵ１０；図１２のステップＣ２９）を有することを特徴としている。
【００２７】
請求項６に記載の発明によれば、請求項４又は５に記載の発明と同様の効果が得られるのは無論のこと、現在位置が経由地点よりも出発地点寄りであった場合に、音声再生速度を早める制御を行う耳装着型電子機器が実現される。ユーザは、再生速度が早くなった音声により現在位置が経由地点よりも出発地点寄りであることを知ることができる。
【００２８】
請求項７に記載の発明は、請求項４〜６の何れか一項に記載の耳装着型電子機器であって、
前記制御手段は、前記測位手段により測位された現在位置が、前記読出手段により読み出された経由地点よりも到達地点寄りであった場合、前記音声再生出力手段の音声再生速度を遅める制御を行う再生速度低速化制御手段（例えば、図３のＣＰＵ１０；図１２のステップＣ３３）を有することを特徴している。
【００２９】
請求項７に記載の発明によれば、請求項４〜６に記載の発明と同様の効果が得られるのは無論のこと、現在位置が経由地点よりも到達地点寄りであった場合に、音声再生速度を遅める制御を行う耳装着型電子機器が実現される。ユーザは、再生速度が遅くなった音声により現在位置が経由地点よりも到達地点寄りであることを知ることができる。
【発明の効果】
【００３０】
請求項１又は８に記載の発明によれば、所定時間おきに現在位置の測位と生体情報の検出とを行い、測位した現在位置を通過位置とし、検出した生体情報と対応付けた移動履歴を蓄積的に記憶した後、当該移動履歴を外部装置に送信する耳装着型電子機器が実現される。これにより、ユーザ（装着者）は、耳装着型電子機器を装着し、例えば、走行運動等を行った後に、当該電子機器を外部装置に接続することにより、自分の通過位置と生体情報との履歴を容易に確認することができる。
【００３１】
請求項２に記載の発明によれば、歩行又は走行のピッチを検出し、検出したピッチを所定時間おきに移動履歴に含めて記録する耳装着型電子機器が実現される。これにより、ユーザは、外部装置において自分の通過位置と生体情報との他に、ピッチの履歴も確認することができる。
【００３２】
請求項３又は９に記載の発明によれば、地図画像を表示し、耳装着型電子機器から受信した移動履歴に基づいて移動経路を当該地図画像上に表示する。これにより、ユーザは、耳装着型電子機器を装着して歩行又は走行した経路を容易に地図画面上で確認することができる。
【００３３】
また、表示させた移動経路上の地点が指定されると、指定された地点に最近接する通過位置に対応付けられた生体情報を読み出して表示する。これにより、ユーザは、移動経路上を指定するといった簡単な操作で、指定した地点における生体情報を容易に知ることができる。
【００３４】
請求項４又は１０に記載の発明によれば、音声の再生出力と経過時間の計時とを行い、経過時間を予定時間とする経由地点を読み出す。そして、読み出した経由地点と所定時間おきに測位した現在位置との位置関係を求め、当該位置関係に基づいて音声再生速度を可変させる。従って、ユーザは、音声の再生速度の変化によって、経路上の予定位置と現在位置との位置関係を容易に知ることができる。
【００３５】
請求項５に記載の発明によれば、現在位置と経由地点との位置関係が位置関係許容条件を満たさない場合、現在位置を基準とした経由地点までの距離及び方位を算出して音声出力させる。これにより、ユーザは、音声出力された距離及び方位によって、自分の進むべき経由地点の方向及び距離を容易に知ることができる。
【００３６】
請求項６に記載の発明によれば、現在位置が経由地点よりも出発地点寄りであった場合に、音声再生速度を早める制御を行う耳装着型電子機器が実現される。ユーザは、再生速度が早くなった音声により現在位置が経由地点よりも出発地点寄りであることを知ることができる。
【００３７】
請求項７に記載の発明によれば、現在位置が経由地点よりも到達地点寄りであった場合に、音声再生速度を遅める制御を行う耳装着型電子機器が実現される。ユーザは、再生速度が遅くなった音声により現在位置が経由地点よりも到達地点寄りであることを知ることができる。
【発明を実施するための最良の形態】
【００３８】
〔第１実施形態〕
先ず、本発明の耳装着型電子機器をヘッドホン型の脈拍測定装置（以下、「ヘッドホン型装置」とする。）１に、移動履歴表示装置をパーソナルコンピュータ（以下、「パソコン」と略す。）３に適用した場合の第１実施形態について図１〜図９を参照して詳細に説明する。
【００３９】
図１は、ヘッドホン型装置１の斜視図を含む第１実施形態のシステム構成の概要を表す図である。同図によれば、ヘッドホン型装置１は、ＧＰＳ衛星７が送信するＧＰＳ信号を受信可能に構成されており、また、パソコン３と通信可能に構成されている。
【００４０】
図２（ａ）は、ヘッドホン型装置１の正面図、同図（ｂ）は、ヘッドホン型装置１を装着した状態を表す図である。以下、図１及び図２を用いて、ヘッドホン型装置１の機構の概要を説明する。尚、説明における方向は、ヘッドホン型装置１を装着したユーザにとっての方向とする。具体的には、ヘッドホン型装置１を装着した場合の顔面側（図２（ｂ）の左側）を前、後頭部側（図２（ｂ）の右側）を後とし、左耳側を左、右耳側を右、上を上、下を下とする。また、左右のアーム部９０２Ｒ，９０２Ｌが近接する方向、すなわち頭部の中央に向けた方向を内側方向とし、その逆を外側方向とする。
【００４１】
ヘッドホン型装置１は、本体部９００と、右アーム部９０２Ｒと、左アーム部９０２Ｌと、スピーカ５２を内蔵した右ドライバユニット９０４Ｒ及び左ドライバユニット９０４Ｌと、脈拍センサ９０６とを備えて構成される。
【００４２】
本体部９００は、内部に各種制御回路や電源部等が内蔵され、正面に操作パネル９１４が配設されている。また、右端に右アーム支持部９１６Ｒと、左端に左アーム支持部９１６Ｌとが形成されている。
【００４３】
操作パネル９１４には、例えば、ＬＣＤ（Liquid Crystal Display）等で構成されるディスプレイ９１８と各種スイッチ群９２０が配設されている。各種スイッチ群９２０には、モードスイッチ９２０ａと、ラジオスイッチ９２０ｂと、音量スイッチ９２０ｃと、スタートストップスイッチ９２０ｄと、電源スイッチ９２０ｅとがある。
【００４４】
モードスイッチ９２０ａは、ヘッドホン型装置１の動作モードを設定するためのスイッチである。ラジオスイッチ９２０ｂは、ラジオ放送の受信を開始させるためのスイッチであり、また、第１実施形態に係る移動履歴記録処理を開始させるためのスイッチとしても機能する。音量スイッチ９２０ｃは、音量を変更するためのスイッチである。スタートストップスイッチ９２０ｄは、脈拍センサ９０６による脈拍の検出を開始又は停止させるためのスイッチである。また、このスタートストップスイッチ９２０ｄは、ストップウォッチのＯＮ／ＯＦＦの切り替え操作も兼ねており、脈拍の検出を開始させるとストップウォッチを動作させ、脈拍の検出を停止させるとストップウォッチの動作も停止させる。電源スイッチ９２０ｅは、電源のＯＮ／ＯＦＦを切り替えるためのスイッチである。
【００４５】
右アーム部９０２Ｒは、本体部９００の右上端部で内側矢印Ｖ１の方向に付勢するように支持され、左アーム部９０２Ｌは、本体部９００の左上端部で内側矢印Ｖ３の方向に付勢するように支持されている。また、右アーム部９０２Ｒ及び左アーム部９０２Ｌは、左右の耳孔Ｅから後頭部Ｈまでの一般的な人体の側頭部形状に沿って湾曲して形成される。
【００４６】
右アーム支持部９１６Ｒは、右アーム部９０２Ｒを支持するための機構であり、左アーム支持部９１６Ｌは、左アーム部９０２Ｌを支持するための機構である。右アーム支持部９１６Ｒは、内部に右アーム部９０２Ｒを矢印Ｖ１方向（内側方向）に付勢するための例えば、捻りコイルバネのような付勢機構を備えて構成される。右アーム支持部９１６Ｒの上端部から挿入された右アーム部９０２Ｒの一端に捻りコイルバネが巻き付けられて、右アーム部９０２Ｒを矢印Ｖ１の方向へ付勢する。
【００４７】
左アーム支持部９１６Ｌは、左アーム部９０２Ｌを支持するための機構であり、ケーブル５を接続するためのコネクタ９２４が形成されている。尚、左アーム支持部９１６Ｌの機構は、右アーム支持部９１６Ｒと左右対称の機構であるため、左アーム支持部９１６Ｌの説明を省略する。
【００４８】
右アーム部９０２Ｒの先端部には、右ドライバユニット９０４Ｒを支持する右ドライバユニット支持部９０８Ｒが設けられている。左アーム部９０２Ｌの先端部には、左ドライバユニット９０４Ｌを支持する左ドライバユニット支持部９０８Ｌが設けられている。
【００４９】
右ドライバユニット支持部９０８Ｒの右側面には、測定直後の脈拍数を読み上げる音を出力させるためのパルススイッチ（図示略）が配設されており、左ドライバユニット支持部９０４Ｌの左側面には、ラジオの選局を行うためのチューナスイッチ９１０が配設されている。
【００５０】
脈拍センサ９０６は、生体情報としての脈拍という血流の状態を検出する検出手段であり、耳介の一部である耳朶に挟着可能なクリップを有し、脈拍を光学的に検出するためのセンサが挟着面に配設されている。脈拍センサ９０６は、本体部９００の左側面からケーブル９１２を介して電気的に接続されている。尚、光学的に脈拍を検出するセンサの機構、構成については、公知技術であるため、その詳細な説明は省略する。また、左アーム部９０２Ｌには、ユーザが脈拍センサ９０６を使用しないときに脈拍センサ９０６を挟着・係止させるための板状に形成された鍔９２２が設けられている。
【００５１】
ユーザは、ヘッドホン型装置１を装着するために、右ドライバユニット９０４Ｒと左ドライバユニット９０４Ｌとが離間する方向へ右アーム部９０２Ｒと左アーム部９０２Ｌとを把持して広げる。そして、後頭部Ｈ側から頭部を回り込むようにして、ヘッドホン型装置１を移動し、右ドライバユニット９０４Ｒと左ドライバユニット９０４Ｌとを左右の耳孔Ｅに挿入して、ヘッドホン型装置１を装着する。
【００５２】
このとき、右アーム部９０２Ｒと左アーム部９０２Ｌとを介して右ドライバユニット９０４Ｒと左ドライバユニット９０４Ｌとに伝達される付勢力により、当該右ドライバユニット９０４Ｒと左ドライバユニット９０４Ｌとが耳孔内の方向（内側方向）に押圧される。また、図２（ｂ）のように、本体部９００の背面（操作パネル９１４の反対側の裏面）が後頭部Ｈの下方に当接されて、本体部１０の姿勢が保持される。
【００５３】
ヘッドホン型装置１を上述したような機構とすることにより以下の様な効果が得られる。先ず、右ドライバユニット９０４Ｒが右耳の耳孔Ｅ内に、左ドライバユニット９０４Ｌが左耳の耳孔Ｅ内に挿入され、各アーム部を通じて伝達された付勢力で頭部の内側方向に押圧されることで、右ドライバユニット９０４Ｒ及び左ドライバユニット９０４Ｌは、確実に耳孔内に挿入される。このため、各ドライバユニットは、頭部の動きに対して抜けにくくなり、安定した装着感が得られる。
【００５４】
また、右の耳孔に挿入される右ドライバユニット９０４Ｒと、左の耳孔Ｅに挿入される左ドライバユニット９０４Ｌとを結ぶ直線が本体部９００が上下方向に揺動する揺動軸となり得るが、この揺動軸の軸方向へのヘッドホン型装置１のズレは抑制される。
【００５５】
また、本体部９００の内部にはバッテリー等の電源部や各種制御回路が内蔵されるため、本体部９００は、ヘッドホン型装置１の大部分の重量を占め、ある程度の重量物となる。このため本体部９００は、その自重と揺動軸との関係から後頭部Ｈの下方付近に当接される。従って、ヘッドホン型装置１は、本体部９００が後頭部Ｈの下方付近に当接した安定した姿勢で保持され、ユーザが走行又は歩行（移動）中であったとしても、揺動軸の回転方向への揺動が抑制される。
【００５６】
また、頭部への当接箇所が、左右の耳孔及び後頭部Ｈの３カ所であるため、従来のヘッドホンのように頭部を覆い囲むような閉塞感が軽減され、快適な装着感が得られる。
【００５７】
また、右アーム部９０２Ｒは右耳の耳介の外側から、左アーム部９０２Ｌは左耳の耳介の外側を回り込むように装着される。従って、左右の耳介の付け根部分に右アーム部９０２Ｒ及び左アーム部９０２Ｌが掛からないため、ヘッドホン型装置１の装着時に、眼鏡を容易に着用することができる。
【００５８】
また、本体部９００の左側面に接続された脈拍センサ９０６は左耳介の耳朶を挟着することで係止される。従って、ヘッドホン型装置１はユーザの頭部への装着で装着が完結するため、ケーブル９１２がユーザの走行又は歩行（移動）の障害となりにくい。
【００５９】
また、脈拍センサ９０６が挟着・係止されているのが左耳（左側）であるのに対し、パルススイッチは右ドライバユニット支持部９０８Ｒ上（右側）に配設されている。これにより、脈拍数の測定結果を聞くためのパルススイッチの操作というヘッドホン型装置１の右側に対する操作が、左側の脈拍センサ９０６の脈拍検出に与える影響を低減することができる。
【００６０】
以上のような効果により、ヘッドホン型装置１は、走行又は歩行（移動）中に生体情報を測定するための電子機器として好適となる。
【００６１】
図３は、ヘッドホン型装置１の機能構成の一例を示すブロック図である。同図によれば、ヘッドホン型装置１は、ＣＰＵ（Central Processing Unit）１０と、フラッシュＲＯＭ（Read Only Memory）２０と、ＲＡＭ（Random Access Memory）３０と、脈拍センサ９０６によって検出された脈拍から生体情報としての脈拍数を計測する脈拍計測部４０と、スピーカ５２に音声を出力させるための音声出力部５０と、通信装置６０と、入力部７０と、表示部８０と、ラジオ受信回路部９０と、振動計測部１００と、位置検出部１１０とがバス１２０に接続されて構成される。
【００６２】
ＣＰＵ１０は、入力される指示に応じて所定のプログラムに基づいた処理を実行し、各機能部への指示やデータの入出力を行う。具体的には、ＣＰＵ１０は、入力部７０から入力される押下信号に応じてフラッシュＲＯＭ２０に格納されたプログラムを読み出し、当該プログラムに従って処理を実行する。そして、処理結果を表示するための表示制御信号を表示部８０に出力して、当該処理結果を表示部８０に表示させる。
【００６３】
フラッシュＲＯＭ２０は、読み書き可能な不揮発性メモリであり、各種初期設定、ハードウェアの検査、又は必要なプログラムのロード等を行うための初期プログラムを格納する。ＣＰＵ１０は、ヘッドホン型装置１の電源投入時にこの初期プログラムを実行することにより、ヘッドホン型装置１の動作環境を設定する。また、フラッシュＲＯＭ２０は、ヘッドホン型装置１の動作に係る各種機能を実現するためのデータやプログラムを格納する。
【００６４】
ＲＡＭ３０は、ＣＰＵ１０が実行する各種プログラムやこれらのプログラムの実行に係るデータ等を一時的に保持するための記憶領域である。
【００６５】
脈拍計測部４０は、脈拍センサ９０６によって検出された脈拍を計測するための回路部である。具体的には、脈拍センサ９０６によって脈拍が検出されると、検出信号が入力される。脈拍計測部４０は、検出信号を１分間の間計数し、この計数値を脈拍数としてＣＰＵ１０に出力する。
【００６６】
音声出力部５０は、スピーカ５２に音声を出力させるための回路部であり、Ｄ／Ａ変換器を備えて構成される。音声出力部５０は、ＣＰＵ１０から入力される音声データをＤ／Ａ変換して、スピーカ５２から音声出力させたり、ラジオ受信回路部９０から入力されるラジオ放送をスピーカ５２に音声出力させたりする。
【００６７】
通信装置６０は、例えば、パソコン３を接続してデータ通信するための機能部であり、ＵＳＢ（universal serial bus）やＬＡＮインターフェイス等により構成される。尚、通信装置６０は、図２（ａ）に示すコネクタ９２４に相当するものである。
【００６８】
入力部７０は、図２に示す各種スイッチ群９２０、パルススイッチ及びチューナスイッチ９１０に相当するものであり、押下されたスイッチの押下信号をＣＰＵ１０に出力する。
【００６９】
表示部８０は、ＣＰＵ１０から入力される表示制御信号に基づいて各種画面を表示させるものであり、ＬＣＤ（Liquid Crystal Display）等により構成される。尚、この表示部８０は、図２（ａ）に示すディスプレイ９１８に相当するものである。
【００７０】
ラジオ受信回路部９０は、ラジオ放送を受信するための受信アンテナを備え、当該受信アンテナを介してラジオ放送を受信し、受信したラジオ放送をスピーカ５２に出力させるための回路部である。
【００７１】
振動計測部１００は、加速度計等の振動検出手段を備えて構成され、ヘッドホン型装置１の振動を検出し、振動検出信号としてＣＰＵ１０に出力する。
【００７２】
位置検出部１１０は、ＧＰＳ衛星７から送信されるＧＰＳ信号を受信するためのＧＰＳ信号受信装置を備えて構成され、受信したＧＰＳ信号により現在位置を測位する。具体的には、複数のＧＰＳ衛星から送信されるＧＰＳ信号をＧＰＳアンテナにより受信し、受信したＧＰＳ信号により現在位置（緯度、経度）を測位してＣＰＵ１０へ出力する。
【００７３】
図４（ａ）は、フラッシュＲＯＭ２０の構成を示す図である。同図によれば、フラッシュＲＯＭ２０は、移動履歴記録プログラム２００と、移動履歴データ２０２とを格納する。
【００７４】
移動履歴記録プログラム２００は、第１実施形態に係る移動履歴記録処理を実現するためのプログラムである。具体的には、ＣＰＵ１０が、フラッシュＲＯＭ２０から移動履歴記録プログラム２００を読み出し、ＲＡＭ３０に展開することで移動履歴記録処理が開始される。
【００７５】
移動履歴データ２０２は、記録時刻と、通過位置と、脈拍数と、ピッチと、歩数と、速度とを対応付けて蓄積的に記憶するためのデータテーブルである。ＣＰＵ１０は、所定の計測時間間隔（例えば、１分間隔）おきに各データを取得・算出して、移動履歴データ２０２に追加記憶していく。計測時間間隔とは、各データを取得・算出する時間間隔であり、予め設定された値である。尚、計測時間間隔は、ユーザにより所望の時間が設定されるとしてもよい。
【００７６】
記録時刻は、移動履歴データ２０２に各データを記憶する時点における現在時刻であり、ＣＰＵ１０によって現在時刻が取得されて設定される。通過位置には、記録時刻における現在位置であり、位置検出部１１０によって取得された現在位置が設定される。脈拍数は、記録時刻における脈拍数であり、脈拍計測部４０によって計測された脈拍数が設定される。ピッチは、単位時間の歩数であり、後述するピッチ算出用歩数３０２を計測時間間隔で除算した値が設定される。歩数は、出発地点を出発してからの歩数の合計であり、後述する積算歩数３００が設定される。速度は、前回の記録時刻から現在の記録時刻までにおけるユーザの移動の速度（時速）である。当該速度は、ＣＰＵ１０が、前回の記録時刻における通過位置と現在時刻における通過位置との直線距離を算出し、算出した距離を計測時間間隔で除算することにより算出される。
【００７７】
図５は、移動履歴データ２０２のデータ構成の一例を示す図である。同図によれば、記録時刻と、通過位置と、脈拍数と、ピッチと、歩数と、速度とが対応付けられたレコードが蓄積的に記録されている。例えば、記録時刻“１２：０４”には、通過位置（１３９°３８’２５”、３５°２８’３１”）、脈拍数“１１８”、ピッチ“１１３”、歩数“３６０”、速度“４．８”とが対応付けられている。これは、記録時刻“１２：０４”における現在位置の緯度が“１３９°３８’２５”、経度が“３５°２８’３１”であり、このときの計測されたユーザの脈拍数が“１１８”ＢＰＭ（Beat Per Minute）であることを表している。また、単位時間当たりの（例えば、１分当たり）の歩数（ピッチ）が“１１３”歩、出発してからの歩数の合計が“３６０”歩、前回の計測から現在の計測までにおける平均速度が時速“４．８”ｋｍであることを表している。尚、記録時刻“１２：００”におけるピッチ“０”は、ピッチ算出用歩数３０２にまだ歩数が格納されておらず、ピッチが算出されていないことを表している。また、速度“０”は、前回の通過位置が記憶されていないために、速度が算出されていないことを表している。
【００７８】
図４（ｂ）は、ＲＡＭ３０の構成を示す図である。同図によれば、ＲＡＭ３０は、積算歩数３００と、ピッチ算出用歩数３０２と、計時時間３０４とを格納する。
【００７９】
積算歩数３００は、ユーザが出発地点を出発してからの歩数の合計である。ＣＰＵ１０は、移動履歴記録処理を開始後、振動計測部１００から出力された振動検出信号を検出すると、当該検出の回数を計数して、積算歩数３００を更新していく。
【００８０】
ピッチ算出用歩数３０２は、計測時間間隔での歩数である。ＣＰＵ１０は、振動計測部１００から出力された振動検出信号を検出すると、当該検出の回数を計数していく。そして、計測時間間隔で、その時点の計数値をピッチ算出用歩数３０２としてＲＡＭ３０に格納し、計数値をクリアする。ＣＰＵ１０は、ピッチ算出用歩数３０２を計測時間間隔で除算することによりピッチを算出し、その後、ピッチ算出用歩数３０２をクリアする。
【００８１】
計時時間３０４は、ＣＰＵ１０の所定のタイマ処理によって計時される時間である。ＣＰＵ１０により、移動履歴記録処理の開始後、計時が開始されて、計時時間３０４は随時更新される。この計時時間３０４は計測時間間隔ごとにクリアされ、再度、ＣＰＵ１０のタイマ処理により計時され更新される。
【００８２】
図６は、パソコン３の機能構成の一例を示すブロック図である。同図によれば、パソコン３は、ＣＰＵ３００と、記憶装置３１０と、ＲＡＭ３２０と、通信装置３３０と、マウス３４２を有する入力部３４０と、表示部３５０とがバス３６０に接続されて構成される。
【００８３】
記憶装置３１０は、ハードディスク等により構成される読み書き可能な記憶領域であり、各種初期設定、ハードウェアの検査、又は必要なプログラムのロード等を行うための初期プログラムを格納する。また、記憶装置３１０は、パソコン３の動作に係る各種機能を実現するためのデータやプログラムを格納する。同図によれば、記憶装置３１０は、移動履歴表示プログラム３１２と、移動履歴データ３１４と、地図画像データベース（以下、データベースのことを「ＤＢ」と略す）３１６とを格納する。
【００８４】
移動履歴表示プログラム３１２は、第１実施形態に係る移動履歴表示処理を実現するためのプログラムである。具体的に、ＣＰＵ３００は、移動履歴表示プログラム３１２を記憶装置３１０から読み出し、ＲＡＭ３２０に展開することで移動履歴表示処理を開始する。
【００８５】
移動履歴データ３１４は、ヘッドホン型装置１から受信した移動履歴データ２０２である。
地図画像ＤＢ３１６は、地図画像データを蓄積的に格納するデータベースであって、緯度及び経度を含む地図画像データを読み出し、読み出した地図上に指定された緯度及び経度の地点を特定することのできるデータベースである。また、この逆に、地図画像上の一点が指定されると、その指定された地点の緯度及び経度を算出する。この地図画像ＤＢ３１６の仕組みは、公知のものであるため、その説明を割愛する。
【００８６】
ＲＡＭ３２０は、指定位置情報３２１を格納する。指定位置情報３２１は、画面指定操作により指定された地図画像上の位置から地図画像ＤＢによって算出された緯度及び経度の情報である。画面指定操作とは、マウス３４２のクリック操作によって地図画像上の一点を指定する操作である。
【００８７】
通信装置３３０は、ヘッドホン型装置１を接続してデータ通信するための機能部であり、ＵＳＢ（universal serial bus）やＬＡＮインターフェイス等により構成される。
【００８８】
入力部３４０は、マウス３４２を備えて構成される。入力部３４０は、マウス３４２のクリック操作により指定された画面上の座標をＣＰＵ３００に出力する。第１実施形態において、ＣＰＵ３００は、入力された座標を地図画像上の緯度及び経度に変換して指定位置情報３２１とする。
【００８９】
表示部３５０は、バックライト付きのカラーＬＣＤ（Liquid Crystal Display）やＥＬＤ（Electronic Luminescent Display）で構成され、パソコン３の操作に係る各種情報や地図画像等を表示する。
【００９０】
次に、ヘッドホン型装置１の移動履歴記録処理の具体的な動作について、図７のフローチャートを用いて説明する。
【００９１】
ユーザによりラジオスイッチ９２０ｂが押下されると、ＣＰＵ１０は、移動履歴記録プログラム２００をフラッシュＲＯＭ２０から読み出し、ＲＡＭ３０に展開することで、移動履歴記録処理を開始する。
【００９２】
移動履歴記録処理を開始すると、先ず、ＣＰＵ１０は、計時時間３０４の計時を開始し、ラジオ受信回路部９０にラジオ放送の受信を開始させて、スピーカ５２からラジオ放送を音声出力させる（ステップＡ１）。
【００９３】
そして、振動計測部１００において振動が検出されたか否かを判別し（ステップＡ３）、検出されたと判別した場合（ステップＡ３：Ｙｅｓ）、ＣＰＵ１０は、積算歩数３００とピッチ算出用歩数３０２とに１加算する（ステップＡ５）。
【００９４】
ステップＡ３において振動を検出しなかったと判別した場合（ステップＡ３：Ｎｏ）、又はステップＡ５の処理の後、ＣＰＵ１０は、計時時間３０４が計測時間間隔の時間に到達したか否かを判別し（ステップＡ７）、計測時間間隔の時間に到達しなかったと判別した場合は（ステップＡ７：Ｎｏ）、ステップＡ２１の処理へ移行する。
【００９５】
計測時間間隔の時間に到達したと判別した場合（ステップＡ７：Ｙｅｓ）、計時時間３０４をリセットし、ＣＰＵ１０は、現在時刻を取得して、記録時刻として移動履歴データ３１４に記憶する（ステップＡ９）。そして、ＧＰＳ信号を受信し、現在位置を測位して、測位した現在位置を通過位置としてステップＡ９において記憶した記録時刻に対応付けて移動履歴データ３１４に記憶する（ステップＡ１１）。
【００９６】
ＣＰＵ１０は、前回の記録時刻及び通過位置と、現在の記録時刻及び通過位置とを移動履歴データ３１４から読み出し、速度を算出して、ステップＡ９において記憶した記録時刻に対応付けて移動履歴データ３１４に記憶する（ステップＡ１３）。次いで、脈拍計測部４０で計測された脈拍数を取得して、ステップＡ９において記憶した記録時刻に対応付けて移動履歴データ３１４に記憶する（ステップＡ１５）。
【００９７】
そして、積算歩数３００を読み出して、ステップＡ９において記憶した記録時刻に対応付けて移動履歴データ３１４に記憶する（ステップＡ１７）。また、ピッチ算出用歩数３０２を基にピッチを算出し、ステップＡ９において記憶した記録時刻に対応付けて移動履歴データ３１４に記憶した後、ピッチ算出用歩数３０２をクリアする（ステップＡ１９）。
【００９８】
ＣＰＵ１０は、ステップＡ７において計測時間間隔の時間に到達していないと判別した場合（ステップＡ７：Ｎｏ）、又はステップＡ１９の処理の後、ユーザにより移動履歴記憶処理を終了するための終了操作（例えば、ラジオスイッチ９２０ｂの押下操作）が為されたか否かを判別し（ステップＡ２１）、終了操作が為されなかったと判別した場合は（ステップＡ２１：Ｎｏ）、ステップＡ３の処理へ移行する。従って、移動履歴記録処理が開始されてから終了操作が為されるまでの間、計測時間間隔毎に現在時刻、現在位置、速度、脈拍数、歩数及びピッチが取得・算出されて移動履歴データ３１４に蓄積記憶されていく。
【００９９】
ステップＡ２１において終了操作がなされたと判別した場合（ステップＡ２１：Ｙｅｓ）、ＣＰＵ１０は、通信装置６０を介して移動履歴データ３１４をパソコン３に送信し（ステップＡ２３）、移動履歴記録処理を終了する。
【０１００】
次に、パソコン３の移動履歴表示処理の具体的な動作について、図８のフローチャートを用いて説明する。
【０１０１】
ＣＰＵ３００は、ユーザによる所定の操作（例えば、表示部３５０に表示させたメニュ画面からの選択操作）を検出すると、記憶装置３１０から移動履歴表示プログラム３１２を読み出し、ＲＡＭ３２０に展開することで移動履歴表示処理を開始する。
【０１０２】
移動履歴表示処理を開始すると、ＣＰＵ１０は、ヘッドホン型装置１から移動履歴データ２０２を受信し、移動履歴データ３１４として記憶装置３１０に記憶させる（ステップＢ１）。そして、地図画像ＤＢ３１６から地図画像データを読み出して、地図画像を表示部３５０に表示させる（ステップＢ３）。
【０１０３】
次いで、ＣＰＵ１０は、移動履歴データ３１４から通過位置を読み出して、地図画像上に移動経路を表示させる（ステップＢ５）。具体的には、移動履歴データ３１４から１レコード読み出し、読み出したレコードの通過位置に対応する地点を地図画像上に表示する。そして、次のレコードを読み出して、読み出したレコードの通過位置に対応する地点を地図画像上に表示させた後、直前に表示させた地点とを直線で繋げる。この一連の処理を全レコードの通過地点に対して行い、直線で繋げられて形成される線を移動経路とする。
【０１０４】
ＣＰＵ１０は、ユーザによる画面指定操作を検知するまで待機し（ステップＢ９）、画面指定操作を検知したと判別した場合は（ステップＢ５：Ｙｅｓ）、指定された地図上の地点の位置情報（具体的な緯度及び経度）を指定位置情報３２１としてＲＡＭ３２０に記憶させる。
【０１０５】
そして、指定位置情報３２１が移動経路の近傍であるか否かを判別する（ステップＢ９）。具体的には、指定位置情報３２１と移動経路との最短距離を算出し、算出した距離が所定値（例えば、５ｍ）以下であれば、移動経路の近傍であると判別する。
【０１０６】
ＣＰＵ１０は、移動経路の近傍であると判別すると（ステップＢ９：Ｙｅｓ）、指定位置情報に最も近い通過位置を含むレコードを移動履歴データ３１４から検索して読み出す（ステップＢ１１）。そして、読み出したレコードの内容（例えば、図９（ｂ）の移動状態ＣＴ）を表示部３５０に表示させた後（ステップＢ１３）、移動履歴表示処理を終了する。ステップＢ９において、移動経路の近傍ではないと判別した場合は（ステップＢ９：Ｎｏ）、そのまま移動履歴表示処理を終了する。
【０１０７】
図９は、パソコン３の具体的な表示画面の画面遷移の例を示す図である。以下、この図を参照しつつユーザのヘッドホン型装置１とパソコン３との操作例を説明する。
【０１０８】
先ず、ユーザは、ヘッドホン型装置１を装着し、ラジオスイッチ９２０ｂを押下した後、出発地点ＳＴから出発して、到達地点ＧＬまで走行又は歩行によって向かう。その間、ヘッドホン型装置１においては、左右のドライバユニットからはラジオ放送が音声出力されるとともに（図７のステップＡ１に相当）、現在位置、速度、脈拍数、ピッチ及び歩数が計測時間間隔おきに取得・算出されて移動履歴データ２０２に蓄積記憶されていく（図７のステップＡ７→Ａ９〜Ａ１９に相当）。
【０１０９】
ユーザは、到達地点ＧＬへ到着した後、ヘッドホン型装置１をパソコン３に接続すると、パソコン３の表示部３５０には地図画像ＰＣが表示される。また、この地図画像ＰＣ上には、ユーザが走行又は歩行してきた経路である移動経路ＣＳが出発地点ＳＴと到達地点ＧＬとの間に表示される（図９（ａ））（図８のステップＢ１〜Ｂ５に相当）。
【０１１０】
そして、ユーザは、マウス３４２を操作して、マウスポインタＭＰを所望の移動経路ＣＳ上に移動してクリックすると、クリックした地点におけるユーザの移動状態ＣＴが表示される。図９（ｂ）において移動状態ＣＴには、「ＰＲ：１２０ＢＰＭ  ピッチ：１２０  歩数：６００歩  速度：５ｋｍ／ｈ」が表示されている。これは、脈拍数が“１２０ｂｐｍ”であり、単位時間の歩数（ピッチ）が“１２０歩”、出発地点からの歩数の合計が“６００”歩、速度が“５ｋｍ／ｈ”であることを表している。
【０１１１】
図９（ｂ）において、ユーザによりクリックされた地点の位置情報は、（１３９°３８’１６”、３５°２８’２７”）であり、ＣＰＵ１０によって、当該位置情報に最も近い通過位置のレコードとして（１３９°３８’１７”、３５°２８’２７”）を含むレコードが読み出される。そして、このレコードの通過位置、脈拍数、ピッチ、歩数、速度が移動状態ＣＴとして表示される。
ここで、第１実施形態においては、ラジオスイッチ９２０ｄを押下して受信したラジオ放送を出力しながら各種計測を行うようにしたが、ラジオ放送は出力せずに各種計測のみを行うようにしてもよい。
【０１１２】
以上、第１実施形態によれば、ユーザに装着されたヘッドホン型装置１において、計測時間間隔おきに現在位置、速度、脈拍数、歩数及びピッチが取得・算出して蓄積的に移動履歴データ２０２として記憶し、パソコン３に転送する。これにより、ユーザは、ヘッドホン型装置１を装着しているだけで、走行又は歩行（移動）状態を表す様々なデータを意識することなく容易に記録することができる。
【０１１３】
また、パソコン３においては、地図画像を表示し、移動履歴データ２０２を基に、ユーザの走行してきた移動経路を地図画像上に表示する。そして、画面指定操作を検出すると、指定された移動経路上の地点における速度、脈拍数、歩数及びピッチを移動履歴データ３１４から読み出して表示する。これにより、ユーザは、自分の移動してきた経路を地図上で確認できるだけでなく、当該経路上での走行又は歩行（移動）状態を表す様々なデータの内容を確認することができる。
【０１１４】
尚、画面指定操作をマウス３４２のクリック操作によって行うこととして説明したが、これに限られるものではなく、例えば、表示部３５０にタッチパネルを一体的に形成して、タッチペンによって位置の指定を行うこととしてもよいし、また、直接緯度及び経路を入力することで位置の指定を行うこととしてもよい。
【０１１５】
また、速度、脈拍数、歩数及びピッチを内容とする移動状態ＣＴを表示することとして説明したが、これらのデータに限られるものではなく、例えば、移動履歴データ３１４に記憶される通過位置を基に、移動距離を算出して、移動状態ＣＴの内容に含めて表示することとしてもよい。また、安静時の脈拍数を予め記憶し、走行又は歩行（移動）時脈拍数及び最大脈拍数を検出して運動強度を算出して移動状態ＣＴの内容に含めて表示することとしてもよい。
【０１１６】
また、速度をヘッドホン型装置１において算出することして説明したが、パソコン３において速度を算出することとしても同様の効果が得られることは無論である。
【０１１７】
また、移動履歴データ３１４から速度、脈拍数、歩数及びピッチを読み出して移動状態ＣＴとして表示することとしたが、移動履歴データ３１４を基に速度、脈拍数、歩数及びピッチの経過をグラフ化して表示することとしてもよい。
【０１１８】
また、パソコン３を移動履歴表示装置の適用例として説明したが、本発明の適用可能なものはこれに限られたものではなく、適宜変更可能である。例えば、カーナビゲーション装置、パソコン、ＰＤＡ（Personal Digital Assistant）等の電子機器に適用可能である。
【０１１９】
〔第２実施形態〕
次に、本発明の耳装着型電子機器をヘッドホン型装置１に適用した場合の第２実施形態について図１０〜図１３を参照して詳細に説明する。第２実施形態におけるヘッドホン型装置１は、図３におけるフラッシュＲＯＭ２０とＲＡＭ３０とを、図１０に示すフラッシュＲＯＭ２２とＲＡＭ３２とに置き換えた構成である。尚、第２実施形態において、第１実施形態と同様の構成には同一の符号を付し、その説明を省略する。
【０１２０】
図１０（ａ）はフラッシュＲＯＭ２２の構成を示す図である。同図によれば、フラッシュＲＯＭ２２は、移動位置アドバイスプログラム２２０と、移動位置アドバイスデータ２２２と、移動履歴２２８とを格納する。
【０１２１】
移動位置アドバイスプログラム２２０は、第２実施形態に係る移動位置アドバイス処理を実現するためのプログラムである。具体的に、ＣＰＵ１０は、移動位置アドバイスプログラム２２０をフラッシュＲＯＭ２２から読み出し、ＲＡＭ３２に展開することにより、移動位置アドバイス処理を開始する。
【０１２２】
移動位置アドバイスデータ２２２は、音楽データ２２４とコースデータ２２６とを有する。音楽データ２２４は、一連の音楽データである。ＣＰＵ１０は、音楽データ２２４のデータの再生速度を制御することにより、音楽の再生出力を早めたり遅めたりする制御を行うことができる。図１１（ａ）は、音楽データ２２４の概念図である。同図は、音楽データ２２４が３０分間の音楽を出力するためのデータであることを表している。
【０１２３】
コースデータ２２６は、予定経過時間と予定位置とを対応付けて記憶するデータテーブルである。予定経過時間とは、出発地点を出発してからの予定時間であり、計測時間間隔おきに設定される。予定位置とは、予定経過時間後に到着している予定の地点の位置情報である。
【０１２４】
図１１（ｂ）は、コースデータ２２６のデータ構成の一例を示す図である。同図によれば、コースデータ２２６には、予定経過時間に予定位置が対応付けられたレコードが記憶されている。例えば、経過時間“０：０５：００”には、予定位置（１３９°３８’１７”、３５°２８’２７”）が対応付けられている。これは、ユーザが出発してから５分経過後には、予定では（１３９°３８’１７”、３５°２８’２７”）の地点に到着しているということを表している。予定通りにユーザが走行又は歩行し、出発から５分後に（１３９°３８’１７”、３５°２８’２７”）の地点に到着していると、音楽データ２２４のデータ位置ＤＰ（図１１（ａ）参照）における音楽データに基づいた音楽が出力されることとなる。
【０１２５】
ここで、コースデータ２２６の先頭レコードの予定位置は、出発地点の位置情報であり、終端レコードの予定位置は到達地点の位置情報となる。また、到達地点に予定通り到着すると、当該到着と同時に音楽データ２２４に基づく音楽の再生出力が終了する。
【０１２６】
尚、移動位置アドバイスデータ２２２は、パソコン３から通信装置６０を介してダウンロードして、フラッシュＲＯＭ２２に格納することとしてもよい。
【０１２７】
移動履歴２２８は、経過時間と通過位置とを対応付けて蓄積的に格納するためのデータテーブルである。経過時間は、ユーザが出発地点を出発してからの経過時間であり計測時間間隔おきに予め設定される。通過位置とは、経過時間の時点における現在位置であり、ＣＰＵ１０により設定される。図１１（ｃ）は、移動履歴２２８のデータ構成の一例を示す図である。同図によれば、経過時間に通過時間が対応付けられたレコードが蓄積的に格納されている。例えば、経過時間“０：０５：００”には、通過位置（１３９°３８’１５”、３５°２８’２２”）が対応付けられている。これは、出発地点を出発してから５分後に緯度（１３９°３８’１５”）、経度（３５°２８’２２”）の地点をユーザが通過したことを表している。
【０１２８】
図１０（ｂ）は、ＲＡＭ３２の構成の一例を示す図である。同図によれば、ＲＡＭ３２は、現在位置３２０と、現在経過時間３２２と、予定移動距離３２４と、総移動距離３２６と、距離差分３２８とを格納する。
【０１２９】
現在位置３２０は、位置検出部１１０において検出された現在位置であり、随時変更される。現在経過時間３２２は、出発地点を出発してからの現在までの経過時間であり、ＣＰＵ１０により計時されて随時更新される。
【０１３０】
予定移動距離３２４とは、予定経過時間において、ユーザが出発地点から当該予定経過時間に対応する予定位置までに移動する距離であり、コースデータ２２６を基に算出される。具体的には、ＣＰＵ１０は、コースデータ２２６の先頭レコードから現在経過時間３２２と同じ予定経過時間までのレコードの予定位置を順次読み出し、隣接するレコードの予定位置間の直線距離を算出する。そして、算出した直線距離の合計を予定移動距離３２４としてＲＡＭ３２に格納する。
【０１３１】
総移動距離３２６は、ユーザが出発地点から現在位置３２０までに移動した距離であり、移動履歴２２８を基に算出される。具体的には、ＣＰＵ１０は、移動履歴２２８の先頭レコードから現在位置３２０を含むレコードまでの通過位置を読み出し、隣接するレコードの各通過位置間の直線距離を算出する。そして、算出した直線距離の合計を総移動距離２２６としてＲＡＭ３２に格納する。
【０１３２】
距離差分３２８とは、予定移動距離３２４から総移動距離３２６を減算した値である。ＣＰＵ１０は、距離差分３２８が所定値以上であるか否か、また、正であるか否かという位置関係許容条件に基づいて、現在位置３２０に最近接する予定位置の方位を算出して、音声出力を行う。具体的には、距離差分３２８の絶対値が所定値以上であり、且つ、正であれば、ＣＰＵ１０は、現在経過時間３２２において現在位置３２０が当該現在位置３２０に最近接する予定位置よりも出発地点寄りであると判別し、音楽の再生速度（テンポ）を速め、現在位置３２０を基準とした当該予定位置の方位と距離差分３２８とを音声出力する。また、距離差分３２８の絶対値が所定値以上であり、且つ、負であれば、ＣＰＵ１０は、現在経過時間３２２において現在位置３２０が当該現在位置３２０に最近接する予定位置よりも到着地点寄りであると判別し、音楽の再生速度（テンポ）を遅め、当該予定位置を基準とした現在位置３２０の方位と距離差分３２８とを音声出力する。この音楽の再生速度（テンポ）の制御により、ユーザは、現在位置３２０が当該現在位置３２０に最近接する予定位置に対して出発地点寄りなのか、到着地点寄りなのかを知ることができ、歩行又は走行のペースを調整することができる。また、方位及び距離差分３２８の音声出力により、現在位置３２０に最近接する予定位置までの方位と距離とが分かる。
【０１３３】
次に、ヘッドホン型装置１の移動位置アドバイス処理の具体的な動作について、図１２のフローチャートを用いて説明する。
【０１３４】
ＣＰＵ１０は、ユーザにより所定の操作（例えば、モードスイッチ９２０ａの押下操作）が為されたことを検知すると、移動位置アドバイスプログラム２２０をフラッシュＲＯＭ２２から読み出し、ＲＡＭ３２に展開することで移動位置アドバイス処理を開始する。
【０１３５】
移動位置アドバイス処理を開始すると、ＣＰＵ１０は、先ず、移動履歴コピー操作を検知したか否かを判別する（ステップＣ１）。移動履歴コピー操作とは、移動履歴２２８をコースデータ２２６として記憶するための操作であり、例えば、モードスイッチ９２０ａによりコピーモードを選択する操作である。当該操作により、ユーザは、前回の移動時の記録である移動履歴２２８をコースデータ２２６にコピーして、当該移動履歴２２８を今回の走行又は歩行に利用することができる。
【０１３６】
ＣＰＵ１０は、移動履歴コピー操作を検知した場合（ステップＣ１：Ｙｅｓ）、移動履歴２２８を移動位置アドバイスデータ２２２のコースデータ２２６として更新・記憶する（ステップＣ３）。具体的には、コースデータ２２６の予定経過時間に移動履歴２２８の経過時間を格納し、コースデータ２２６の予定時間に移動履歴２２８の通過位置を格納する。
【０１３７】
ステップＣ１において移動履歴コピー操作を検知しなかった場合（ステップＣ１：Ｎｏ）、又はステップＣ３の処理の後、ＣＰＵ１０は、音楽データ２２４に基づいて音楽の再生を通常の再生速度で開始する（ステップＣ７）。そして、経過時間の計時を開始して現在経過時間３２２を随時更新する（ステップＣ９）。
【０１３８】
ＣＰＵ１０は、現在経過時間３２２が計測時間間隔（例えば、５分間隔）の時間となるまで待機し（ステップＣ１１）、計測時間間隔の時間となったと判別した場合は（ステップＣ１１：Ｙｅｓ）、現在経過時間３２２を読み出して、移動履歴２２８に格納する（ステップＣ１３）。
【０１３９】
そして、ＣＰＵ１０は、位置検出部１１０にＧＰＳ信号を受信させて現在位置を測位させ、現在位置３２０としてＲＡＭ３２に格納するとともに、ステップＣ１３において格納した経過時間に対応付けて当該現在位置３２０を通過位置として移動履歴２２８に格納する（ステップＣ１５）。
【０１４０】
次いで、現在位置３２０が到達地点であるか否かを判別する（ステップＣ１７）。具体的には、コースデータ２２６の最終レコードを読み出し、当該レコードの予定位置と現在位置３２０とが一致するか否かを判別する（ステップＣ１７）。現在位置３２０が到達地点であると判別した場合（ステップＣ１７：Ｙｅｓ）、ＣＰＵ１０は、移動位置アドバイス処理を終了する。
【０１４１】
現在位置３２０が到達地点ではないと判別した場合（ステップＣ１７：Ｎｏ）、ＣＰＵ１０は、現在経過時間３２２までの予定位置をコースデータ２２６から読み出し、予定移動距離３２４を算出してＲＡＭ３２に格納する（ステップＣ１９）。次いで、移動履歴２２８を基に総移動距離３２６を算出してＲＡＭ３２に格納する（ステップＣ２１）。
【０１４２】
そして、距離差分３２８を算出し、距離差分３２８の絶対値が所定値（例えば、５０ｍ）以上であるか否かを判別する（ステップＣ２３）。所定値以上ではないと判別した場合（ステップＣ２３：Ｎｏ）、ＣＰＵ１０は、通常の再生速度（等倍速）で音楽の再生出力を行い（ステップＣ２５）、ステップＣ１１の処理へ移行する。
【０１４３】
所定値以上であると判別した場合は（ステップＣ２３：Ｙｅｓ）、距離差分３２８の値が正の値であるか負の値であるか否かを判別する（ステップＣ２７）。距離差分３２８の値が正の値であると判別すると（ステップＣ２７：Ｙｅｓ）、音楽データ２２４の再生速度を所定の速度分（例えば、通常の再生速度の倍速まで早めた再生速度）早めて再生出力を行う（ステップＣ２９）。そして、現在位置３２０を基準として現在経過時間３２２と一致する予定経過時間に対応する予定位置の方位を算出する（ステップＣ３１）。
【０１４４】
また、距離差分３２８の値が正の値ではないと判別すると（ステップＣ２７：Ｎｏ）、音楽データ２２４の再生の再生速度を所定の速度分（例えば、通常の再生速度を５０％まで遅くした再生速度）遅めて再生出力を行う（ステップＣ３３）。そして、現在経過時間３２２と一致知する予定経過時間に対応する予定位置を基準として現在位置３２０の方位を算出する（ステップＣ３５）。
【０１４５】
ＣＰＵ１０は、ステップＣ３１又はＣ３５の処理の後、算出した方位と距離差分３２８とに基づいた音声を出力させ（ステップＣ３７）、ステップＣ１１の処理へ移行する。
【０１４６】
図１３は、第２実施形態に係るヘッドホン型装置１を使用した場合の、使用例を説明するための図である。
【０１４７】
図１３のように、ユーザは、出発地点ＳＴから到達地点ＧＬまでの移動経路ＣＳを歩行する。図１１（ｂ）のコースデータ２２６には、図１３のように５分おきに各地点を通過するような予定経過時間及び予定位置が格納されている。
【０１４８】
ユーザは、ヘッドホン型装置１を装着し、出発地点ＳＴから出発して、到達地点ＧＬまで走行又は歩行で向かう。その間、左右のドライバユニットからは音楽データ２２４に基づいた音楽が通常の再生速度で再生出力される（図１２のステップＣ７に相当）。
【０１４９】
例えば、ユーザの歩行速度が遅く、出発してから５分後に通過地点ＰＴ１を通過したとすると、ドライバユニットからは「予定の通過地点は１３０ｍ前方、北北西の方向です」という音声が出力されると共に、再生出力されている音楽の再生速度が早くなる。このとき、ＣＰＵ１０により現在位置３２０が（１３９°３８’１５”、３５°２８’２２”）と測位され、図１１（ｂ）のように移動履歴２２８に経過時間と通過位置とが格納される。そして、コースデータ２２６と移動履歴２２８とを基に距離差分３２８が“−１３０ｍ”と算出される。算出された距離差分３２８は正ではないため、ＣＰＵ１０により、音楽の再生速度が早められる。また、予定位置ＰＴ３を基準とした通過地点ＰＴ１の方位が「北北西」として算出されて、「予定の通過地点は１３０ｍ前方、北北西の方向です」という音声が出力されることとなる（図１２のステップＣ２３→Ｃ２７→Ｃ２９〜Ｃ３７に相当）。
【０１５０】
また、ユーザの歩行速度が速く、出発してから５分後に通過地点ＰＴ５を通過すると、ドライバユニットからは「予定の通過地点よりも北北西に１００ｍ進んでいます」という音声が出力される。このとき、距離差分３２８は“＋１００ｍ”と算出される。算出された距離差分３２８は正であるため、ＣＰＵ１０により、音楽の再生速度が遅められる。また、現在位置である通過地点ＰＴ５を基準として予定位置ＰＴ３の方位が「北北西」として算出され、「予定の通過地点よりも北北西に１００ｍ進んでいます」という音声が出力されることとなる（図１２のステップＣ２３→Ｃ２７→Ｃ３３〜Ｃ３７に相当）。
【０１５１】
また、ユーザは、前回の走行又は歩行（移動）の経路を参考にして走行又は歩行を行いたいとき等に、移動履歴コピー操作を行うことで、前回の移動履歴２２８をコースデータ２２６とすることができる。これにより、前回の走行又は歩行（移動）時のペースを基準にすることができ、走行又は歩行のペースを調整することができる。
【０１５２】
以上、第２実施形態によれば、計測時間間隔おきに現在位置を測位し、測位した現在位置を経過時間に対応付けて移動履歴２２８に記憶していく。そして、予定移動距離３２４と総移動距離３２６とを算出して、更に、距離差分３２８を算出する。ＣＰＵ１０は、この距離差分３２８が所定値以上であると共に正の値であれば、音楽の再生速度を速め、現在位置３２０を基準とした予定位置の方位と距離差分３２８とを音声出力する。また、距離差分３２８が所定値以上であると共に負の値であれば、音楽の再生速度を遅め、予定位置を基準とした現在位置３２０の方位と距離差分３２８とを音声出力させる。これにより、ユーザは、音楽の再生速度が速められると、現在位置３２０が出発地点寄りであり予定よりも遅れていることを知ることができ、音楽の再生速度に合わせて歩行又は走行のペースを上げることにより速度調整を行うことができる。また、音楽の再生速度が遅められると、現在位置３２０が到着地点寄りであり予定よりも先に進んでいることを知ることができ、音楽の再生速度に合わせて歩行又は走行のペースを下げることにより速度調整を行うことができる。
【０１５３】
また、現在位置を基準とした現在位置に近接する予定位置の方位や距離を音声にて確認することができるため、現在位置から進むべき方位及び距離を容易に知ることができる。
【０１５４】
尚、距離差分３２８の正負によって所定速度分の再生速度を制御することとして説明したが、これに限られるものではなく、距離差分３２８を基に再生速度を算出し、距離差分３２８の大きさに比例した再生速度の制御を行うこととしてもよい。例えば、現在位置が予定よりも大幅に遅れ、出発地点寄りの場合は、その距離に比例した速度分、再生速度を早める。また、現在位置が予定よりも進み、到着地点よりの場合は、その距離に比例した速度分、再生速度を遅める。具体的には、距離差分３２８が“＋５００ｍ”以上のときの再生速度を上限とし、この上限を通常の再生速度の倍速とする。そして、“＋５００ｍ”に至るまでの距離差分３２８に比例して再生速度の高速率を決定する。また、距離差分３２８が“−５００ｍ”以下のときの再生速度を下限とし、この下限を通常の再生速度の５０％の速度とする。そして、“−５００ｍ”に至るまでの距離差分３２８に比例して再生速度の減速率を決定する。
【０１５５】
また、予定移動距離３２４はコースデータ２２６を基に、総移動距離３２６は移動履歴２２８を基に算出することとして説明したが、地図画像上に表示された道順の距離に基づいて予定移動距離３２４及び総移動距離３２６を算出することとしてもよい。例えば、総移動距離３２６の場合は、出発地点から現在位置３２０までの道順を地図画像上から検索し、検索された道順から総移動距離３２６を算出する。
【図面の簡単な説明】
【０１５６】
【図１】本発明におけるヘッドホン型装置の斜視図。
【図２】（ａ）は、本発明におけるヘッドホン型装置の正面図。（ｂ）は、本発明におけるヘッドホン型装置の装着状態を示す図。
【図３】本発明におけるヘッドホン型装置の機能構成を示す図。
【図４】本発明の第１実施形態におけるヘッドホン型装置の（ａ）はフラッシュＲＯＭの構成を示す図、（ｂ）はＲＡＭの構成を示す図。
【図５】本発明の第1実施形態における移動履歴データのデータ構成を示す図。
【図６】本発明の第１実施形態におけるパソコンの機能構成を示すブロック図。
【図７】本発明の第１実施形態における移動履歴記録処理を説明するためのフローチャート。
【図８】本発明の第１実施形態における移動履歴表示処理を説明するためのフローチャート。
【図９】本発明の第１実施形態におけるパソコンの表示画面の画面遷移の一例を示す図。
【図１０】本発明の第２実施形態におけるヘッドホン型装置の（ａ）はフラッシュＲＯＭの構成を示す図、（ｂ）はＲＡＭの構成を示す図。
【図１１】本発明の第２実施形態における（ａ）は音楽データの概念図、（ｂ）はコースデータのデータ構成の一例を示す図、（ｃ）は移動履歴のデータ構成の一例を示す図。
【図１２】本発明の第２実施形態における移動位置アドバイス処理を説明するためのフローチャート。
【図１３】本発明の第２実施形態におけるヘッドホン型装置の使用例を説明するための図。
【符号の説明】
【０１５７】
１     ヘッドホン型装置
３     パソコン
５     ケーブル
７     ＧＰＳ衛星
１０   本体部
２０   フラッシュＲＯＭ
３０   ＲＡＭ
４０   脈拍計測部
５０   音声出力部
５２   スピーカ
６０   通信装置
７０   入力部
８０   表示部
９０   ラジオ受信回路部
１００ 振動計測部
１１０ 位置検出部
２００ 移動履歴記録プログラム
２０２ 移動履歴データ
９０６ 脈拍センサ
【図１】
2005195425.tif 000003
【図２】
2005195425.tif 000004
【図３】
2005195425.tif 000005
【図４】
2005195425.tif 000006
【図５】
2005195425.tif 000007
【図６】
2005195425.tif 000008
【図７】
2005195425.tif 000009
【図８】
2005195425.tif 000010
【図９】
2005195425.tif 000011
【図１０】
2005195425.tif 000012
【図１１】
2005195425.tif 000013
【図１２】
2005195425.tif 000014
【図１３】
2005195425.tif 000015